(57)【要約】【解決手段】様々なアダプタの構成は、現在の航空機の洗面所で使用されている酸素発生器を同じ容器において新たに義務付けられた交換用酸素モジュールに交換することを可能とするように提供される。交換用モジュールと酸素発生器は、全体的なインターフェース寸法、形状および重量の点で異なる。アダプタは、取り付けられる交換用モジュールを、酸素容器の改変なしに、または最小限の改変のみで、取り付けることを可能にする。【選択図】図１Ｂ
2016508040.tif 000002
【特許請求の範囲】
【請求項１】
交換する航空機化学的酸素発生器を含んで構成された航空機洗面所用酸素容器内に航空機酸素モジュールを取り付けるための航空機洗面所用酸素容器アダプタであって、その航空機酸素モジュールが航空機化学的酸素発生器の外径よりも小さい外径を有する、前記航空機洗面所用酸素容器アダプタにおいて、
前記航空機洗面所用酸素容器に接続された取付部材と、
前記取付部材に接続された少なくとも一つのストラップであって、前記航空機酸素モジュールの周囲に延びて前記航空機酸素モジュールを前記航空機洗面所用酸素容器に固定するように構成されている前記少なくとも一つのストラップと、
を備える航空機洗面所用酸素容器アダプタ。
【請求項２】
請求項１に記載の航空機洗面所用酸素容器アダプタにおいて、
前記少なくとも一つのストラップは、前記取付部材に付着された第１および第２のストラップを含み、前記第１および第２のストラップは、キャニスタの周囲に延びて前記キャニスタを前記取付部材に固定するように構成され、
前記航空機酸素モジュールを含むように構成されたキャニスタであって、交換する航空機化学的酸素発生器の外径と実質的に整合するように構成された外径を有する前記キャニスタと、
前記交換用の酸素モジュールの外径と整合する内径を有する少なくとも一つの内部クレードルと、
をさらに備える航空機洗面所用酸素容器アダプタ。
【請求項３】
請求項２に記載の航空機洗面所用酸素容器アダプタにおいて、
前記ストラップのそれぞれと前記キャニスタとの間にそれぞれ配置された第１および第２の圧縮自在スペーサをさらに備える航空機洗面所用酸素容器アダプタ。
【請求項４】
請求項２に記載の航空機洗面所用酸素容器アダプタにおいて、
前記キャニスタと前記取付部材との間に配置された第１および第２の固定クレードルをさらに備える航空機洗面所用酸素容器アダプタ。
【請求項５】
請求項２に記載の航空機洗面所用酸素容器アダプタにおいて、
前記キャニスタは、前記航空機酸素モジュールの底を受け入れる基部をさらに含み、
前記キャニスタの基部と前記航空機酸素モジュールの底との間に配置されるように構成される間隔材をさらに備える航空機洗面所用酸素容器アダプタ。
【請求項６】
請求項１に記載の航空機洗面所用酸素容器アダプタにおいて、
前記少なくとも一つのストラップは、前記取付部材に付着された第１および第２のストラップを含み、
前記ストラップと前記航空機酸素モジュールとの間に配置されるように構成される第１および第２の圧縮自在径スペーサであって、前記径スペーサの内径は前記交換用酸素モジュールの外径と整合し、前記第１および第２の圧縮自在径スペーサの外径は交換する前記酸素発生器の外径と整合する、前記第１および第２の圧縮自在径スペーサをさらに備える航空機洗面所用酸素容器アダプタ。
【請求項７】
請求項６に記載の航空機洗面所用酸素容器アダプタにおいて、
前記航空機酸素モジュールと前記取付部材との間に配置された第１および第２の固定クレードルをさらに備えた航空機洗面所用酸素容器アダプタ。
【請求項８】
請求項１に記載の航空機洗面所用酸素容器アダプタにおいて、
前記少なくとも一つのストラップは、前記取付部材に付着された第１および第２のストラップを含み、
前記取付部材に固定されて前記航空機酸素モジュールを抱えるように構成された第１および第２の取付ブラケットであって、前記第１および第２のストラップが前記第１および第２の取付ブラケットにそれぞれ接続され、前記航空機酸素モジュールの周囲に延びて前記航空機酸素モジュールを前記取付部材に固定するように前記第１および第２のストラップが構成されている、前記第１および第２の取付ブラケットをさらに備える航空機洗面所用酸素容器アダプタ。
【請求項９】
請求項８に記載の航空機洗面所用酸素容器アダプタにおいて、
前記第１および第２のストラップをそれぞれ固定するとともに前記航空機酸素モジュールを前記第１および第２のストラップ内に確実に保持するように構成された第１および第２の留め具をさらに備える航空機洗面所用酸素容器アダプタ。
【請求項１０】
請求項１に記載の航空機洗面所用酸素容器アダプタにおいて、
前記第１および第２のストラップは、前記航空機酸素モジュールの全長に沿って延びて前記航空機酸素モジュールを包むように構成されたストラップを含み、そのストラップは、前記取付部材に固定されるように構成された複数の取付孔、および、前記航空機酸素モジュールに巻き付けて前記取付部材に前記航空機酸素モジュールを固定させる前記ストラップの直径の調整を可能とするよう構成される前記ストラップに形成された複数の開口部を有する航空機洗面所用酸素容器アダプタ。
【請求項１１】
請求項１に記載の航空機洗面所用酸素容器アダプタにおいて、
前記取付部材は、支持溝を含み、前記少なくとも一つのストラップは、前記取付部材に付着された第１および第２のストラップを含み、
前記第１および第２のストラップは、前記支持溝に接続され、前記支持溝は、前記支持溝の全長に沿って形成されるとともに前記第１および第２のストラップを通過させるように構成された複数の開口部を含む航空機洗面所用酸素容器アダプタ。
【請求項１２】
請求項１に記載の航空機洗面所用酸素容器アダプタにおいて、
前記第１および第２のストラップをそれぞれ固定させるよう構成されるとともに前記航空機酸素モジュールを前記第１および第２のストラップ内に確実に保持するよう構成された第１および第２の留め具をさらに備える航空機洗面所用酸素容器アダプタ。
【請求項１３】
交換する航空機化学的酸素発生器を含んで構成された航空機洗面所用酸素容器内に航空機酸素モジュールを取り付けるための航空機洗面所用酸素容器アダプタであって、その航空機酸素モジュールが航空機化学的酸素発生器の外径よりも小さい外径を有する、前記航空機洗面所用酸素容器アダプタにおいて、
前記航空機酸素モジュールを含んで構成されたキャニスタであって、交換する前記航空機化学的酸素発生器の外径と実質的に整合するように構成された外径を有し、前記交換用の酸素モジュールの外径と整合する内径を有する少なくとも一つの内部クレードルを含む、前記キャニスタと、
前記航空機洗面所用酸素容器に接続された取付部材と、
前記取付部材に付着された第１および第２のストラップであって、前記キャニスタの周囲に延びて前記キャニスタを前記取付部材に固定するように構成された前記第１および第２のストラップと、
を備える航空機洗面所用酸素容器アダプタ。
【請求項１４】
請求項１３に記載の航空機洗面所用酸素容器アダプタにおいて、
前記ストラップのそれぞれと前記キャニスタとの間にそれぞれ配置された第１および第２の圧縮自在スペーサと、
前記キャニスタと前記取付部材との間に配置された第１および第２の固定クレードルと、
をさらに備える航空機洗面所用酸素容器アダプタ。
【請求項１５】
請求項１４に記載の航空機洗面所用酸素容器アダプタにおいて、
前記キャニスタは、前記航空機酸素モジュールの底を受け入れるための基部を含み、
前記キャニスタの基部と前記航空機酸素モジュールの底との間に配置されるよう構成された間隔材をさらに備える航空機洗面所用酸素容器アダプタ。
【請求項１６】
交換する航空機化学的酸素発生器を含んで構成された航空機洗面所用酸素容器内に航空機酸素モジュールを取り付けるための航空機洗面所用酸素容器アダプタであって、その航空機酸素モジュールが航空機化学的酸素発生器の外径よりも小さい外径を有する、前記航空機洗面所用酸素容器アダプタにおいて、
前記航空機洗面所用酸素容器に接続された取付部材と、
前記取付部材に付着された第１および第２のストラップであって、前記航空機酸素モジュールの周囲に延びて前記航空機酸素モジュールを前記取付部材に固定するよう構成される前記第１および第２のストラップと、
前記ストラップと前記航空機酸素モジュールとの間に配置されるように構成される第１および第２の圧縮自在径スペーサであって、前記径スペーサの内径は前記交換用酸素モジュールの外径と整合し、前記第１および第２の圧縮自在径スペーサの外径は交換する前記酸素発生器の外径と整合する、前記第１および第２の圧縮自在径スペーサと、
を備える航空機洗面所用酸素容器アダプタ。
【請求項１７】
請求項１６に記載の航空機洗面所用酸素容器アダプタにおいて、
前記航空機酸素モジュールと前記取付部材との間に配置された第１および第２の固定クレードルをさらに備える航空機洗面所用酸素容器アダプタ。
【請求項１８】
交換する航空機化学的酸素発生器を含んで構成された航空機洗面所用酸素容器内に航空機酸素モジュールを取り付けるための航空機洗面所用酸素容器アダプタであって、その航空機酸素モジュールが航空機化学的酸素発生器の外径よりも小さい外径を有する、前記航空機洗面所用酸素容器アダプタにおいて、
前記航空機洗面所用酸素容器に接続された取付部材と、
前記取付部材に固定されて前記航空機酸素モジュールを抱えるように構成された第１および第２の取付ブラケットと、
前記第１および第２の取付ブラケットにそれぞれ接続された第１および第２のストラップであって、前記航空機酸素モジュールの周囲に延びて前記航空機酸素モジュールを前記取付部材に固定するように構成される前記第１および第２のストラップと、
を備える航空機洗面所用酸素容器アダプタ
【請求項１９】
請求項１８に記載の航空機洗面所用酸素容器アダプタにおいて、
前記第１および第２のストラップをそれぞれ固定して前記航空機酸素モジュールを前記第１および第２のストラップ内に確実に保持するように構成された前記第１および第２の留め具をさらに備える航空機洗面所用酸素容器アダプタ。
【請求項２０】
交換する航空機化学的酸素発生器を含んで構成された航空機洗面所用酸素容器内に航空機酸素モジュールを取り付けるための航空機洗面所用酸素容器アダプタであって、その航空機酸素モジュールが航空機化学的酸素発生器の外径よりも小さい外径を有する、前記航空機洗面所用酸素容器アダプタにおいて、
前記航空機洗面所用酸素容器に接続された取付部材と、
前記航空機酸素モジュールの全長に沿って延びて前記航空機酸素モジュールを包むように構成されたストラップであって、前記取付部材に固定されるように構成された複数の取付孔、および、前記航空機酸素モジュールに巻き付けて前記取付部材に前記航空機酸素モジュールを固定させる前記ストラップの直径の調整を可能とするよう構成される前記ストラップに形成された複数の開口部を有する前記ストラップと、
を備える航空機洗面所用酸素容器アダプタ。
【請求項２１】
交換する航空機化学的酸素発生器を含んで構成された航空機洗面所用酸素容器内に航空機酸素モジュールを取り付けるための航空機洗面所用酸素容器アダプタであって、その航空機酸素モジュールが航空機化学的酸素発生器の外径よりも小さい外径を有する、前記航空機洗面所用酸素容器アダプタにおいて、
前記航空機洗面所用酸素容器に接続された取付部材であって、支持溝を含む前記取付部材と、
前記支持溝に接続された第１および第２のストラップであって、前記支持溝が、前記支持溝の長さに沿って形成されるとともに前記第１および第２のストラップを通過させるように構成された複数の開口部を含む、前記第１および第２のストラップと、
を備える航空機洗面所用酸素容器アダプタ。
【請求項２２】
請求項１８に記載の航空機洗面所用酸素容器アダプタにおいて、
前記第１および第２のストラップをそれぞれ固定するように構成されるとともに前記航空機酸素モジュールを前記第１および第２のストラップ内に確実に保持するように構成された第１および第２の留め具をさらに備える航空機洗面所用酸素容器アダプタ。
【発明の詳細な説明】
【技術分野】
【０００１】
関連出願の相互参照
本出願は、２０１２年１２月３日付の米国出願第６１／７３２，７９３号および２０１３年１１月２６日付の米国出願第１４／０９０，７３４号からの優先権を主張し、これらの出願の内容は、その全体がここでの言及によって完全に援用される。
【０００２】
本発明は、一般に、航空機洗面所用酸素モジュールに関し、特に、化学的酸素発生器を収容するように構成されている既存の酸素容器内で使用するための、新たに義務付けられた交換用酸素モジュールの適応に関する。
【背景技術】
【０００３】
ＦＡＡ（連邦航空局）耐空指令整理番号ＦＡＡ−２０１２−０１０２；総局識別子２０１２−ＮＭ−００４−ＡＤ；改正３９−１７０７２；ＡＤ２０１２−１１−０９は、洗面所用酸素容器において現在使用中の化学的酸素発生器を取り替えて新規の交換用酸素モジュールを使用することを要求する。その酸素モジュールは、現在の酸素容器が構成されている化学的酸素発生器と同じ全体的なインターフェース寸法、幾何学的形状、重心または重量を持っていない。既存の酸素容器の認証のための基準を変更することなく、あるいは最小限の変更のみで、既存の酸素容器での使用に交換用モジュールを適合させられるのが最も望ましい。
【０００４】
このように、航空機に現在設置されている既存の酸素容器を変更不要とする（または変更を最小限とする）、交換用酸素モジュールを適合させる方法が求められている。
【発明の概要】
【課題を解決するための手段】
【０００５】
簡単に大まかに言えば、本発明は、以前使用された化学的酸素発生器を収容するように構成された航空機洗面所容器内への交換用酸素モジュールの適応を提供する。本発明の適応方式は、全体的なインターフェース寸法、形状、重心、および重量の差を補填し、現在の航空機に設置されている既存の酸素容器の変更を必要とせず、または最小限の変更のみを必要とする。この結果、容器の認証基準は変更されない。
【０００６】
本発明は、交換する航空機化学的酸素発生器を含んで構成された航空機洗面所用酸素容器内に航空機酸素モジュールを取り付けるための航空機洗面所用酸素容器アダプタであって、その航空機酸素モジュールが航空機化学的酸素発生器の外径よりも小さい外径を有する航空機洗面所用酸素容器アダプタを提供する。航空機洗面所用酸素容器アダプタは、好ましくは、航空機洗面所用酸素容器に接続された取付部材と、取付部材に接続された１以上のストラップであって、航空機酸素モジュールの周囲に延びて航空機酸素モジュールを航空機洗面所用酸素容器に固定するように構成されている１以上のストラップと、を備える。
【０００７】
１つの現在好ましい態様において、１以上のストラップは、取付部材に付着された第１および第２のストラップを含み、航空機洗面所用酸素容器アダプタは、航空機酸素モジュールを含むように構成されたキャニスタであって、交換する航空機化学的酸素発生器の外径と実質的に整合するように構成された外径を有するキャニスタと、第１および第２のストラップはキャニスタの周囲に延びてキャニスタを取付部材に固定するように構成された第１および第２のストラップと、を含む。他の現在好ましい態様において、キャニスタは、航空機酸素モジュールの外径と整合する内径を有する１以上の内部クレードルを含む。他の現在好ましい態様において、第１および第２の圧縮自在スペーサがストラップのそれぞれとキャニスタとの間にそれぞれ配置される。他の現在好ましい態様において、第１および第２の固定クレードルが、キャニスタと取付部材との間に配置される。他の現在好ましい態様において、キャニスタは、航空機酸素モジュールの底を受け入れる基部を含み、間隔材がキャニスタの基部と航空機酸素モジュールの底との間に配置されるように構成される間隔材をさらに備える。
【０００８】
他の現在好ましい態様において、１以上のストラップは、取付部材に付着された第１および第２のストラップを含み、ストラップと航空機酸素モジュールとの間に配置されるように構成される第１および第２の圧縮自在径スペーサであって、径スペーサの内径は交換用酸素モジュールの外径と整合し、第１および第２の圧縮自在径スペーサの外径は交換する酸素発生器の外径と整合する。他の現在好ましい態様において、第１および第２の固定クレードルが航空機酸素モジュールと取付部材との間に配置される。
【０００９】
他の現在好ましい態様において、１以上のストラップは、取付部材に付着された第１および第２のストラップを含み、第１および第２の取付ブラケットは、取付部材に固定されて航空機酸素モジュールを抱えるように構成される。第１および第２のストラップは、第１および第２の取付ブラケットにそれぞれ接続され、航空機酸素モジュールの周囲に延びて航空機酸素モジュールを取付部材に固定するように第１および第２のストラップが構成されている。他の現在好ましい態様において、第１および第２の留め具は、第１および第２のストラップをそれぞれ固定するとともに航空機酸素モジュールを第１および第２のストラップ内に確実に保持するように構成される。
【００１０】
他の現在好ましい態様において、１以上のストラップは、航空機酸素モジュールの全長に沿って延びて航空機酸素モジュールを包むように構成されたストラップを含み、そのストラップは、取付部材に固定されるように構成された複数の取付孔、および、航空機酸素モジュールに巻き付けて取付部材に航空機酸素モジュールを固定させるストラップの直径の調整を可能とするよう構成されるストラップに形成された複数の開口部を有する。
【００１１】
他の現在好ましい態様において、取付部材は、支持溝を含み、１以上のストラップは、取付部材に付着された第１および第２のストラップを含み、第１および第２のストラップは、支持溝に接続され、支持溝は、支持溝の全長に沿って形成されるとともに第１および第２のストラップを通過させるように構成された複数の開口部を含む。他の現在好ましい態様において、第１および第２の留め具は、第１および第２のストラップをそれぞれ固定させるよう構成されるとともに航空機酸素モジュールを第１および第２のストラップ内に確実に保持するよう構成される。
【００１２】
本発明のこれらの特徴および他の特徴および利点は、本発明の動作を例として示している以下の好適な態様の詳細な説明および添付の図面から明らかになるであろう。
【図面の簡単な説明】
【００１３】
【図１Ａ】酸素容器内の適所にある化学的酸素発生器の斜視図である。
【図１Ｂ】酸素容器内の適所にある本発明に従って適合された交換用酸素モジュールの斜視図である。
【図２】従来技術の酸素発生器取付けの斜視図である。
【図３Ａ】酸素容器内に交換用酸素モジュールを取り付けるための本発明の好適な実施形態の図である。
【図３Ｂ】図３Ａに示す好適な実施形態の断面図である。
【図４】酸素容器内に交換用酸素モジュールを取り付けるための本発明の代替の好適な実施形態の斜視図である。
【図５】酸素容器内に交換用酸素モジュールを取り付けるための本発明の他の代替の好適な実施形態の斜視図である。
【図６】酸素容器内に交換用酸素モジュールを取り付けるための本発明のさらに代替の好適な実施形態の斜視図である。
【図６Ａ】酸素容器内に交換用酸素モジュールを取り付けるための本発明のさらに代替の好適な実施形態の斜視図である。
【図６Ｂ】酸素容器内に交換用酸素モジュールを取り付けるための本発明のさらに代替の好適な実施形態の斜視図である。
【図７】酸素容器に交換用酸素モジュールを取り付けるための本発明のさらなる代替の好適な実施形態の斜視図である。
【図７Ａ】酸素容器に交換用酸素モジュールを取り付けるための本発明のさらなる代替の好適な実施形態の斜視図である。
【発明を実施するための形態】
【００１４】
図１Ａは、洗面所用酸素容器１２内に設置された、これまで許されていた化学的酸素発生器などの化学的酸素源１０を示す一方、図１Ｂは、同じ洗面所用酸素容器１２内に設置される新しく義務付けられた交換用酸素モジュール１４を示す。酸素容器はそれらのドアまたはカバー１６とともにその中の構成要素の配置を明らかにするために開いた位置にて示される。化学的酸素発生器と交換用酸素モジュールは、直径、長さ、固定点、および重心を含む幾何学形態の点で異なる。
【００１５】
図２は、洗面所用酸素容器１２内のこれまで許可されていた化学的酸素発生器の取付構成のより詳細な図を示す。発生器１０は、その直径の周りに延びるとともに取付部材２０に付着されている２つの固定ストラップ１８によって適所に保持される。圧縮自在スペーサ２２がストラップと酸素発生器との間に配置される一方、固定クレードル２４は酸素発生器と取付部材との間に配置される。
【００１６】
図３Ａおよび図３Ｂは、交換対象の酸素発生器よりもかなり小さい交換用酸素モジュール２６の取り付けを提供する本発明の好ましい実施形態を示す。図２に示される同じストラップ１８、スペーサ２２、およびクレードル２４は、モジュール２６を含むキャニスタ２８を取付部材２０に取り付けるために使用される。キャニスタは、酸素発生器と交換用酸素モジュールとの間の大きさの違いを補填することを任され、内部クレードル３０の内径は交換用酸素モジュールの外径に整合し、その外径は、交換されようとしている酸素発生器の外径と整合する。モジュールの基部における追加の間隔材３２は、その長さの差を補填する。
【００１７】
図４は、交換対象の酸素発生器よりもかなり小さい交換用酸素モジュール３４の取り付けを提供する本発明の代替的な好ましい実施形態を示す。図２に示される同じストラップ１８、スペーサ２２、およびクレードル２４は、取付部材２０にモジュール３４を取り付けるために使用される。直径スペーサ３６は、酸素発生器と交換用酸素モジュールとの直径の大きさの違いを補填することを任され、直径スペーサの内径は交換用酸素モジュールの外径に整合し、その直径スペーサの外径は、交換されようとしている酸素発生器の外径と整合する。
【００１８】
図５は、交換対象の酸素発生器よりもかなり小さい交換用酸素モジュール３８の取り付けを提供する本発明の他の好ましい実施形態を示す。交換用スペーサブラケット４０は、容器取付要素２０内の既存の締結位置４２を介して取り付けるとともに交換用酸素モジュールをクレードルするよう構成されるために使用される。クレードルブラケットはさらに、ストラップ４６を通してモジュールの周りに延びて収容するように構成される。種々の締結手段４８のいずれも、ストラップを固定して酸素モジュールを適所に保持するために使用されてもよい。
【００１９】
図６は、交換対象の酸素発生器の寸法とは異なる寸法を有する交換用酸素モジュール５２の取り付けを提供する本発明のさらに好ましい実施形態を示す。ストラップ５４は、モジュール全体を包むような大きさであるとともに容器取付要素２０内に形成された既存の締結位置４２に整合する取付孔を有する。ストラップ内に形成された開口部５６は、ストラップの径をモジュールに巻き付けて様々な径のモジュールを適所に固定させる調整を可能とする。図６Ａは、容器取付要素２０に取り付けられた小径の交換用酸素モジュール５８を示す一方、図６Ｂは、同じ容器取付要素２０に取り付けられた大径の交換用酸素モジュール６０を示す。
【００２０】
図７は、広範なサイズの交換用酸素モジュールの酸素容器１２への取り付けを提供する本発明の他の好ましい実施形態を示す。この実施形態は、酸素容器に直接取り付けられた支持溝６２に依存する。ストラップを通せるように構成された一連の開口部６４は、その長さに沿って形成される。図７Ａは、酸素容器内においてアダプタ溝上の適所にある酸素モジュール６６を示す。ストラップ６８は、溝内とモジュール周囲の適切な開口部を通る一方、締結手段７０はストラップを固定し、その結果、モジュールが適所に固定される。
【００２１】
さらなる代替として、交換用酸素モジュールが取り付けられるようにモジュールから突出部を提供することをラグマウント上のストラップに依存してもよい。その取り付けラグは、モジュール上に結び付けられてもよいし、あるいは、溶接または接着二次加工によりモジュールに固定されてもよい。
【００２２】
本発明の特定の形態を図示し説明してきたが、様々な変更が本発明の精神および範囲から逸脱することなくなされ得ることが当業者には明らかであろう。したがって、本発明は、添付の特許請求の範囲による以外に限定されることを意図しない。
【図１Ａ】
2016508040.tif 000003
【図１Ｂ】
2016508040.tif 000004
【図２】
2016508040.tif 000005
【図３Ａ】
2016508040.tif 000006
【図３Ｂ】
2016508040.tif 000007
【図４】
2016508040.tif 000008
【図５】
2016508040.tif 000009
【図６】
2016508040.tif 000010
【図６Ａ】
2016508040.tif 000011
【図６Ｂ】
2016508040.tif 000012
【図７】
2016508040.tif 000013
【図７Ａ】
2016508040.tif 000014
【国際調査報告】
2016508040.tif 000015
2016508040.tif 000016
2016508040.tif 000017
2016508040.tif 000018
2016508040.tif 000019